(57)【要約】   【課題】従来の釣り竿には釣った魚のサイズを測る機能はなかったため、メジャーを忘れて釣り上げた魚の大きさを測ることが出来ず悔しい思いをしたり、いちいち足場を移動してメジャーで測っているとすぐに次の釣りを再開できなかったり、自然に帰す魚を余計に弱らせてしまうなどの問題があった。  【解決手段】釣り竿本体に長さを示す印や数字を加え、手軽に魚のサイズを測れる機能を持たせることにより、釣り竿本来の性能を損なわず、またデザインへの影響を最小限に抑えつつ、使用者はより快適な釣りを展開できる。  【選択図】  図２
2007222014.tif 000002
【特許請求の範囲】
【請求項１】
対象魚、釣りのスタイル、竿のタイプ、材質を問わず釣り用の竿であり、尚且つメジャーを釣りに持参していなくても釣った魚の大きさを釣ったその場ですぐに測ることが出来る様、長さを示す目的で印や数字が竿本体に付いている事を特徴とした釣り竿。
【発明の詳細な説明】
【技術分野】
【０００１】
本発明は、釣り人が釣り場で釣った魚のサイズを手軽に測れることを可能とした釣り竿に関する。
【背景技術】
【０００２】
従来の釣り竿には、釣りのスタイルや狙う対象魚に応じて多様な長さ、素材、タイプがあり、技術の発展や釣り仕掛けの多様化に伴ってより多様で高性能な製品が市場に登場し続けてきたが、その基本構造は変わらず、大きく分けて釣り人が手に取り釣り竿を操る「グリップ」、耐久性や操作性等、性能や特性に大きく直結する部分でありグリップに加えて釣り竿本体を構成する大部分を占める「ブランク」、加えて釣り糸の巻き取りに使うリールを必要とするタイプの釣り竿の場合にはブランクに数箇所取り付けられ釣り糸の通り道となるリングである「ガイド」に分けられる。また、ブランク付け根付近をバット、竿先付近をティップという。（図１参照）
【０００３】
又、持ち運びの利便性を考慮し、本体をいくつかに分割できるタイプや、伸縮して短くできる投げ出しタイプ等もあるが、使用時の釣り竿の構成はグリップとブランクで構成されるという点でやはり同じである。
【発明の開示】
【発明が解決しようとする課題】
【０００４】
以上に述べた従来の釣り竿では、魚を釣るという目的や持ち運びの利便性に関しては十分に考慮され、釣りのスタイルに応じて本来の性能を発揮するが、魚を釣るという目的の域を出るものではなく、釣り人にとって釣りの大きな楽しみの１つである釣った魚の大きさを測るという事に関しては、別にメジャー等の長さを測るための道具を用意する必要があった。
【０００５】
しかしながらいちいち釣具入れ（タックルボックス）や鞄、ポーチ等からメジャーを取り出して測定する事は非常に面倒であったり、実際の釣り場では足場が安定したフラットな地面でなければメジャーで正確な測定をする事は困難な場合も多いのが現状であるため、魚のサイズを測る度に足場を移動するなどして一時的に釣りを中断する必要があった。
【０００６】
又、１つの小さな道具であるメジャーを失くしてしまう事や、持参することを忘れてしまい、釣ったその場で大きさを測ることができず悔しい思いをすることも誰もが経験するよくある出来事である。
【０００７】
本発明は、釣り竿が持つ従来の構成が有していた魚を釣るための性能はそのままに、釣りをする際に絶対的な存在であり、必ず、また常に手にしている釣り竿そのものに手軽に魚の大きさを測ることが出来る性能を加え、上記の問題を解決しようとするものであり、メジャーを必要とした従来のスタイルに付随する上記のストレスをなくし、より快適で楽しい釣りという遊びを実現することを目的とするものである。
【課題を解決するための手段】
【０００８】
そして、本発明は上記目的を達成するために１本の真っ直ぐな棒である釣り竿の特性を利用し、釣り竿本体に長さを示す印や数字を設けたものである。その場合、常に手元にあるグリップ付近で測れるとより快適で手軽な測定が可能であり、グリップ手前先端部分を０としそこからブランク部分、竿先へ向けての長さを示す印や数字を釣り竿本体のブランクに表示したり、グリップとブランクの境目を０として竿先へ向けての長さを示す印や数字をブランクに表示するのが利に適っている。
【０００９】
上記の課題解決手段に於けるより好ましい構成、利点のポイントとして次に例を挙げる。１例として、近年人気のルアー（疑似餌）フィッシングの対象魚として最もポピュラーなブラックバスを例に挙げると、日本国内で大きなブラックバスを狙う釣り人が目標とする魚のサイズは数パターンがあり、湖でのボートやウエーダー（防水スーツのこと）で湖に立ち入っての釣りでは５０ｃｍ、野池などで手軽に岸から狙う釣りでは４５ｃｍなどが例として挙げられる。その場合例えば５０ｃｍを一つの目標として釣りをする人は、明らかにそれに満たない小さい魚のサイズを測ることにはあまり固執しない。つまり、正確に釣り竿本体にメジャーまたは定規と同じ表示を求める必要は必ずしもなく、釣った魚が５０ｃｍを超えているかどうかがすぐに分かることがまず第一に特に重要なのである。仮に釣り竿に５０ｃｍという基準が分かる様に印が入っていれば、魚が５０ｃｍを超えた事で喜びを得ることができるし、そこからおよそのサイズを目算したり、足場を移動してより正確な測定を行うなどといったことが可能になる。つまり、釣り竿本体に細かく数字や印を入れるほど釣り竿本体のデザインへの影響は強くなるが、この場合の１例として釣竿本体にメジャーと同じ模様を入れる必要は必ずしもなく、グリップ手前先端部から５０ｃｍの距離に１つの印があるだけで大きな違いがでるのである。勿論、より正確にサイズを測れるように細かく印を入れたり、１０ｃｍごとに印を入れるなどといった構成もとても有効である。
【００１０】
また、上記の課題解決手段による作用は次の通りである。すなわち、メジャーを別に用意することなく釣り上げた魚のサイズを測ることができるため、メジャーを持参する事を忘れたためにせっかく釣り上げた魚のサイズを測る事が出来ないという事態を防ぐことができる。また、釣り竿本体に長さを測る性能を持たせたことにより、メジャーを取り出す余計な手間が省けてスムーズに測定が可能になり、より純粋に釣りそのものに集中することができる。
【発明の効果】
【００１１】
上述したように本発明の釣り竿では、釣り人が釣りに出かける際に必ず持参し、釣りをする時には常に手に取り使用する釣り竿そのものにメジャーや定規の様な長さを測るための機能を持たせたことにより、うっかりメジャーを忘れてせっかく釣った魚のサイズを測ることが出来ないというトラブルを防ぐことができ、魚を釣ったことによって逆に生まれてしまうストレスをなくし、安心で楽しい釣りを展開することが出来るのである。また、本発明による作用は、左手に持った魚を右手に持った釣竿に当てるなど、釣り上げた魚を手に取ったままそのサイズを測ることができるという大きな利点がある。これにより、いちいち平坦な足場へ移動しメジャーを探す手間が省けるだけでなく、釣った魚のサイズをその場で測り、すぐにその魚をリリース（魚を釣り場へ生きたまま帰してあげること。釣り場の環境を保つ意味でも意義のある行為）するなどしてすぐに釣りを再開できるという大きなメリットもある。さらに、すぐに次の釣りを再開できる事によって、釣り上げる度に魚のサイズを測りながらもその時合（魚の食い気が高ぶっている時間、タイミング）を逃さないという釣りが可能になるのは釣り人にとってとても有益なことである。
【発明を実施するための最良の形態】
【００１２】
まず、図１にて一般的な釣り竿の構造を示す。１は、釣り人が釣りをする時に常に手に取り釣り竿本体を操る部分であるグリップで、２は釣りのスタイルに合わせて素材や硬さ、長さが決められ、釣り竿の特性に直結するブランクである。３はルアー釣りや投げ釣り等のリールを使用する釣り用の釣り竿の場合に釣り糸の通り道として付いているガイドである。なお、その場合１のグリップにリールを固定するパーツがついているが本発明の説明に必要がないので表記を省く。また、４のブランク付け根付近をバットといい、５の竿先付近をティップという。この様に、釣り竿はおよそ直線の１本の棒のような形状をしていることが分かる。
【００１３】
以下、本発明の実施の形態を図２、図３に基づいて説明する。
【００１４】
図２はグリップ手前先端部６からの長さを示す印や数字７をブランクに示したものである。
【００１５】
図３はブランク付け根部分８からの長さを示す印や数字７をブランクに示したものである。
【図面の簡単な説明】
【００１６】
【図１】一般的な釣り竿の構造を示す全体図
【図２】側面から見たグリップ部分とグリップに隣接するブランク（バット）の拡大図
【図３】側面から見たグリップ部分とグリップに隣接するブランク（バット）の拡大図
【符号の説明】
【００１７】
１  グリップ
２  ブランク
３  ガイド
４  バット
５  ティップ
６  グリップ先端部
７  長さを示す数字、印
８  ブランク付け根部分
【図１】
2007222014.tif 000003
【図２】
2007222014.tif 000004
【図３】
2007222014.tif 000005